(57)【要約】【課題】無線通信を利用するときに固定の設定を利用する場合と比べて、無線通信を利用する場合のセキュリティを向上させる。【解決手段】予約することで利用が可能な場所の無線通信の設定が、当該場所を予約したユーザに応じて変更される。【選択図】図８
2020188353.tif 000002
【特許請求の範囲】
【請求項１】
予約することで利用が可能な場所の無線通信の設定を、前記場所を予約したユーザに応じて変更する変更手段、
を有する情報処理装置。
【請求項２】
前記場所の利用が可能となる利用時間が更に予約され、
前記利用時間の開始時間が経過した後、前記変更手段は、無線通信の設定を変更する、
ことを特徴とする請求項１に記載の情報処理装置。
【請求項３】
前記開始時間が経過した後、前記ユーザが前記場所を利用するための操作を行った場合、前記変更手段は、無線通信の設定を変更する、
ことを特徴とする請求項２に記載の情報処理装置。
【請求項４】
前記変更手段は、無線通信の設定を、前記ユーザが前記場所を予約したときに指定した設定に変更する、
ことを特徴とする請求項１から請求項３のいずれか一項に記載の情報処理装置。
【請求項５】
無線通信の設定は、前記場所の利用が可能となる利用時間中、前記ユーザによって変更可能である、
ことを特徴とする請求項１から請求項４のいずれか一項に記載の情報処理装置。
【請求項６】
無線通信の設定は、前記場所の予約毎に異なる、
ことを特徴とする請求項１から請求項５のいずれか一項に記載の情報処理装置。
【請求項７】
無線通信の設定は、無線通信におけるアクセスポイントの識別情報、及び、無線通信を利用するためのパスワードの中の少なくとも１つを含む、
ことを特徴とする請求項１から請求項６のいずれか一項に記載の情報処理装置。
【請求項８】
無線通信の設定は、更に、無線通信を介した他の装置との通信の可否、及び、通信速度の中の少なくとも１つを含む、
ことを特徴とする請求項７に記載の情報処理装置。
【請求項９】
前記場所が予約された場合、前記場所を予約した前記ユーザが利用する端末装置に、無線通信を利用するための設定情報であって前記ユーザに応じた設定情報が送信される、
ことを特徴とする請求項１から請求項８のいずれか一項に記載の情報処理装置。
【請求項１０】
前記場所を予約した前記ユーザ以外の他のユーザが利用する端末装置に、前記設定情報に関する情報が送信される、
ことを特徴とする請求項９に記載の情報処理装置。
【請求項１１】
前記設定情報に関する情報は、前記設定情報が記載されたＷｅｂページにアクセスするためのアクセス情報であり、
前記場所の利用が可能となる利用時間の終了時間が経過した後、前記Ｗｅｂページは削除される、
ことを特徴とする請求項１０に記載の情報処理装置。
【請求項１２】
前記場所にて無線通信を利用する装置の移動が、予め定められた時間以上にわたって検知されない場合、無線通信の利用を禁止する禁止手段を更に有する、
ことを特徴とする請求項１から請求項１１のいずれか一項に記載の情報処理装置。
【請求項１３】
前記変更手段は、更に、無線通信の機能を、前記ユーザが利用することが可能な機能に近づける、
ことを特徴とする請求項１から請求項１２のいずれか一項に記載の情報処理装置。
【請求項１４】
予約管理装置と情報処理装置とを含み、
前記予約管理装置は、
ユーザによる場所の利用の予約を管理する管理手段と、
前記場所にて無線通信を利用するための設定情報であって前記ユーザに応じた設定情報を、前記情報処理装置に送信する送信手段と、
を有し、
前記情報処理装置は、
前記場所の無線通信の設定を、前記設定情報に従って変更する変更手段、
を有する、
情報処理システム。
【請求項１５】
前記管理手段は、更に、前記場所の利用が可能となる利用時間を管理し、前記利用時間の開始時間が経過した後、前記ユーザが前記場所を利用するための操作を行った場合、前記ユーザによる前記場所の利用を許可し、
前記変更手段は、前記ユーザによる前記場所の利用が許可された場合、無線通信の設定を変更する、
ことを特徴とする請求項１４に記載の情報処理システム。
【請求項１６】
前記送信手段は、更に、前記設定情報を、前記ユーザが利用する端末装置に送信する、
ことを特徴とする請求項１４又は請求項１５に記載の情報処理システム。
【請求項１７】
前記送信手段は、更に、前記設定情報に関する情報を、前記場所を予約したユーザ以外の他のユーザが利用する端末装置に送信する、
ことを特徴とする請求項１６に記載の情報処理装置。
【請求項１８】
コンピュータを、
予約することで利用が可能な場所の無線通信の設定を、前記場所を予約したユーザに応じて変更する変更手段、
として機能させるプログラム。
【発明の詳細な説明】
【技術分野】
【０００１】
本発明は、情報処理装置、情報処理システム及びプログラムに関する。
【背景技術】
【０００２】
公衆の無線通信は、一般的に、予め用意されたパスワード等の設定を利用することで、ユーザによって利用される。
【０００３】
特許文献１には、ショートメッセージ中の無線ＬＡＮアクセスポイントデータに基づき、対応する無線ＬＡＮアクセスポイントとの接続を確立する方法が記載されている。
【０００４】
特許文献２には、スイッチングハブのポートにおける信号により、無線端末機器の認証と無線ＬＡＮアクセスポイントへのアクセス状況を監視する装置が記載されている。
【先行技術文献】
【特許文献】
【０００５】
【特許文献１】特開２０１５−４２００５号公報
【特許文献２】特開２０１０−６３０００号公報
【発明の概要】
【発明が解決しようとする課題】
【０００６】
ところで、パスワード等の設定を固定した場合、無線通信を利用するときのセキュリティが低下することがある。
【０００７】
本発明の目的は、無線通信を利用するときに固定の設定を利用する場合と比べて、無線通信を利用する場合のセキュリティを向上させることにある。
【課題を解決するための手段】
【０００８】
請求項１に係る発明は、予約することで利用が可能な場所の無線通信の設定を、前記場所を予約したユーザに応じて変更する変更手段、を有する情報処理装置である。
【０００９】
請求項２に係る発明は、前記場所の利用が可能となる利用時間が更に予約され、前記利用時間の開始時間が経過した後、前記変更手段は、無線通信の設定を変更する、ことを特徴とする請求項１に記載の情報処理装置である。
【００１０】
請求項３に係る発明は、前記開始時間が経過した後、前記ユーザが前記場所を利用するための操作を行った場合、前記変更手段は、無線通信の設定を変更する、ことを特徴とする請求項２に記載の情報処理装置である。
【００１１】
請求項４に係る発明は、前記変更手段は、無線通信の設定を、前記ユーザが前記場所を予約したときに指定した設定に変更する、ことを特徴とする請求項１から請求項３のいずれか一項に記載の情報処理装置である。
【００１２】
請求項５に係る発明は、無線通信の設定は、前記場所の利用が可能となる利用時間中、前記ユーザによって変更可能である、ことを特徴とする請求項１から請求項４のいずれか一項に記載の情報処理装置である。
【００１３】
請求項６に係る発明は、無線通信の設定は、前記場所の予約毎に異なる、ことを特徴とする請求項１から請求項５のいずれか一項に記載の情報処理装置である。
【００１４】
請求項７に係る発明は、無線通信の設定は、無線通信におけるアクセスポイントの識別情報、及び、無線通信を利用するためのパスワードの中の少なくとも１つを含む、ことを特徴とする請求項１から請求項６のいずれか一項に記載の情報処理装置である。
【００１５】
請求項８に係る発明は、無線通信の設定は、更に、無線通信を介した他の装置との通信の可否、及び、通信速度の中の少なくとも１つを含む、ことを特徴とする請求項７に記載の情報処理装置である。
【００１６】
請求項９に係る発明は、前記場所が予約された場合、前記場所を予約した前記ユーザが利用する端末装置に、無線通信を利用するための設定情報であって前記ユーザに応じた設定情報が送信される、ことを特徴とする請求項１から請求項８のいずれか一項に記載の情報処理装置である。
【００１７】
請求項１０に係る発明は、前記場所を予約した前記ユーザ以外の他のユーザが利用する端末装置に、前記設定情報に関する情報が送信される、ことを特徴とする請求項９に記載の情報処理装置である。
【００１８】
請求項１１に係る発明は、前記設定情報に関する情報は、前記設定情報が記載されたＷｅｂページにアクセスするためのアクセス情報であり、前記場所の利用が可能となる利用時間の終了時間が経過した後、前記Ｗｅｂページは削除される、ことを特徴とする請求項１０に記載の情報処理装置である。
【００１９】
請求項１２に係る発明は、前記場所にて無線通信を利用する装置の移動が、予め定められた時間以上にわたって検知されない場合、無線通信の利用を禁止する禁止手段を更に有する、ことを特徴とする請求項１から請求項１１のいずれか一項に記載の情報処理装置である。
【００２０】
請求項１３に係る発明は、前記変更手段は、更に、無線通信の機能を、前記ユーザが利用することが可能な機能に近づける、ことを特徴とする請求項１から請求項１２のいずれか一項に記載の情報処理装置である。
【００２１】
請求項１４に係る発明は、予約管理装置と情報処理装置とを含み、前記予約管理装置は、ユーザによる場所の利用の予約を管理する管理手段と、前記場所にて無線通信を利用するための設定情報であって前記ユーザに応じた設定情報を、前記情報処理装置に送信する送信手段と、を有し、前記情報処理装置は、前記場所の無線通信の設定を、前記設定情報に従って変更する変更手段、を有する、情報処理システムである。
【００２２】
請求項１５に係る発明は、前記管理手段は、更に、前記場所の利用が可能となる利用時間を管理し、前記利用時間の開始時間が経過した後、前記ユーザが前記場所を利用するための操作を行った場合、前記ユーザによる前記場所の利用を許可し、前記変更手段は、前記ユーザによる前記場所の利用が許可された場合、無線通信の設定を変更する、ことを特徴とする請求項１４に記載の情報処理システムである。
【００２３】
請求項１６に係る発明は、前記送信手段は、更に、前記設定情報を、前記ユーザが利用する端末装置に送信する、ことを特徴とする請求項１４又は請求項１５に記載の情報処理システムである。
【００２４】
請求項１７に係る発明は、前記送信手段は、更に、前記設定情報に関する情報を、前記場所を予約したユーザ以外の他のユーザが利用する端末装置に送信する、ことを特徴とする請求項１６に記載の情報処理装置である。
【００２５】
請求項１８に係る発明は、コンピュータを、予約することで利用が可能な場所の無線通信の設定を、前記場所を予約したユーザに応じて変更する変更手段、として機能させるプログラムである。
【発明の効果】
【００２６】
請求項１，２，３，４，１４，１５，１８に係る発明によれば、無線通信を利用するときに固定の設定を利用する場合と比べて、無線通信を利用する場合のセキュリティが向上する。
【００２７】
請求項５に係る発明によれば、ユーザの要求に応じた無線通信を利用することができる。
【００２８】
請求項６に係る発明によれば、各予約において設定が用いられる場合と比べて、無線通信を利用する場合のセキュリティが向上する。
【００２９】
請求項７に係る発明によれば、アクセスポイントの識別情報やパスワードとして固定の情報を用いる場合と比べて、無線通信を利用する場合のセキュリティが向上する。
【００３０】
請求項８に係る発明によれば、無線通信を介した他の装置との通信の可否や、通信速度を、ユーザに応じて変更することができる。
【００３１】
請求項９，１６に係る発明によれば、設定情報を受けたユーザは、当該設定情報を用いて無線通信を利用することができる。
【００３２】
請求項１０，１７に係る発明によれば、他のユーザも無線通信を利用することができる。
【００３３】
請求項１１に係る発明によれば、設定情報が記載されたＷｅｂページを削除しない場合と比べて、設定情報が漏洩する可能性が低くなる。
【００３４】
請求項１２に係る発明によれば、無線通信の不当利用又は不正利用が防止され得る。
【００３５】
請求項１３に係る発明によれば、ユーザは、当該ユーザが利用することが可能な機能に近い無線通信の機能を利用することができる。
【図面の簡単な説明】
【００３６】
【図１】本実施形態に係る情報処理システムの構成を示すブロック図である。
【図２】本実施形態に係る予約管理装置の構成を示すブロック図である。
【図３】本実施形態に係る情報処理装置の構成を示すブロック図である。
【図４】アクセスポイントの構成を示すブロック図である。
【図５】端末装置の構成を示すブロック図である。
【図６】予約管理テーブルを示す図である。
【図７】画面を示す図である。
【図８】本実施形態に係る情報処理システムによる処理の流れを示すシーケンス図である。
【図９】変形例に係る予約管理テーブルを示す図である。
【図１０】画面を示す図である。
【図１１】変形例に係る処理の流れを示すシーケンス図である。
【発明を実施するための形態】
【００３７】
以下、図１を参照して、本実施形態に係る情報処理システムについて説明する。図１には、本実施形態に係る情報処理システムの構成の一例が示されている。
【００３８】
本実施形態に係る情報処理システムは、予約管理装置１０と、１又は複数の情報処理装置１２と、１又は複数のアクセスポイント１４と、１又は複数の端末装置１６とを含む。情報処理システムは、これら以外の装置を含んでもよい。
【００３９】
予約管理装置１０、情報処理装置１２、アクセスポイント１４及び端末装置１６は、通信経路Ｎを介して他の装置と通信してもよい。通信経路Ｎは、例えば、ＬＡＮ（Local Area Network）等のネットワークやインターネット等である。通信経路Ｎは、有線通信によって構築されてもよいし、Ｗｉ−Ｆｉ（登録商標）等の無線通信によって構築されてもよい。予約管理装置１０、情報処理装置１２、アクセスポイント１４及び端末装置１６は、例えば、無線通信又は有線通信を利用して通信経路Ｎに接続し、通信経路Ｎを介して他の装置と通信する。予約管理装置１０、情報処理装置１２、アクセスポイント１４及び端末装置１６は、通信経路Ｎを介さずに近距離無線通信等を利用して他の装置と通信してもよい。近距離無線通信は、例えば、Ｂｌｕｅｔｏｏｔｈ（登録商標）やＲＦＩＤ（Radio Frequency Identifier）やＮＦＣ等である。
【００４０】
予約管理装置１０は、利用場所１８の利用の予約を管理するように構成されている装置である。例えば、利用場所１８の利用が可能となる利用時間が予約された場合、当該予約を行ったユーザは、当該利用時間の間、当該利用場所１８を利用することが許可され、当該予約を行っていないユーザは、当該利用時間の間、当該利用場所１８を利用することが許可されない。利用時間は、例えば、日付と時間帯とによって定められる。
【００４１】
利用場所１８は、ブース、シェアオフィス等のオフィス、ホテルの部屋、乗り物（例えば車や電車や飛行機やバス等）の席、建物の一部や全部、又は、公衆の場所等である。もちろん、これら以外の場所が、利用場所１８であってもよい。
【００４２】
予約管理装置１０は、１又は複数の利用場所１８の利用の予約を管理する。各利用場所１８は、例えば異なる場所である。例えば、各ブースが異なる場所に設置され、各ブースを対象として利用の予約が行われる。他の利用場所１８についても同様である。
【００４３】
情報処理装置１２は、利用場所１８にて利用が可能な通信を制御するように構成されている装置である。当該通信は、無線通信であってもよいし、有線通信であってもよい。以下では、一例として、当該通信は無線通信であるものとする。例えば、情報処理装置１２は、利用場所１８にてアクセスポイント１４を介して利用が可能な無線通信を制御するように構成されている。
【００４４】
アクセスポイント１４は、無線通信装置であって、アクセスポイント１４を利用する装置（例えば端末装置１６等）と無線通信し、当該装置を通信経路Ｎ等の通信経路に接続するように構成されている装置である。例えば、利用場所１８毎に、１又は複数のアクセスポイント１４の利用が可能となっている。アクセスポイント１４は、利用場所１８内に設置されていてもよいし、利用場所１８の周囲に設置されていてもよい。例えば、アクセスポイント１４の通信可能範囲（つまり、アクセスポイント１４との間で電波の送受信が可能な範囲）内に、利用場所１８の全部又は一部が含まれる。これにより、利用場所１８の全部又は一部にて、アクセスポイント１４を利用した無線通信が可能となる。
【００４５】
情報処理装置１２は、例えば、利用場所１８内、又は、当該利用場所１８の周囲に設置されて、当該利用場所１８にて利用が可能なアクセスポイント１４を制御することで、当該アクセスポイント１４によって利用が可能な無線通信を制御する。例えば、情報処理装置１２とアクセスポイント１４とは、有線通信経路又は無線通信経路によって接続されており、情報処理装置１２は、有線通信経路又は無線通信経路を介してアクセスポイント１４を制御する。予約管理装置１０が複数の利用場所１８の予約を管理する場合、利用場所１８毎に情報処理装置１２が設置され、利用場所１８毎に、利用場所１８のアクセスポイント１４が、当該利用場所１８の情報処理装置１２によって制御される。もちろん、１つの情報処理装置１２が、複数のアクセスポイント１４（例えば複数の利用場所１８のそれぞれに設けられたアクセスポイント１４）を制御してもよい。
【００４６】
端末装置１６は、例えば、パーソナルコンピュータ（以下、「ＰＣ」と称する）、タブレットＰＣ、スマートフォン又は携帯電話等の装置である。一例として、端末装置１６は、タブレットＰＣやスマートフォンや携帯電話等の携帯可能な端末装置である。
【００４７】
以下、図２を参照して、予約管理装置１０の構成について詳しく説明する。図２には、予約管理装置１０の構成の一例が示されている。
【００４８】
通信部２０は通信インターフェースであり、他の装置に情報を送信する機能、及び、他の装置から情報を受信する機能を有する。通信部２０は、無線通信機能を有していてもよいし、有線通信機能を有していてもよい。通信部２０は、無線通信又は有線通信を利用して通信経路Ｎに接続し、通信経路Ｎを介して他の装置と通信してもよいし、近距離無線通信等を利用することで通信経路Ｎを介さずに他の装置と通信してもよい。
【００４９】
記憶部２２は、各種の情報を記憶する１又は複数の記憶領域である。各記憶領域は、例えば、予約管理装置１０に設けられている１又は複数の記憶装置（例えばハードディスクドライブやメモリ等の物理ドライブ）によって構成されている。
【００５０】
記憶部２２には、予約管理情報が記憶されている。予約管理情報は、各利用場所１８の利用の予約を管理するための情報である。予約管理情報は、例えば、利用場所１８を識別するための利用場所識別情報、利用時間を示す利用時間情報、当該利用場所１８を予約したユーザに関するユーザ情報、当該利用場所１８にて利用される無線通信の設定に関する無線設定情報、及び、予約日時に当該利用場所１８を利用するために必要な情報である利用情報、等を含む。
【００５１】
予約管理部２４は、利用場所１８の利用の予約を管理するように構成されている。予約管理部２４は、例えば、利用場所１８の利用の予約の要求を端末装置１６から受けて、当該利用場所１８の利用の予約を予約管理情報に登録する。予約管理部２４は、利用場所１８を予約したユーザによる当該利用場所１８の利用を許可する。利用時間が予約された場合、予約管理部２４は、当該利用時間における利用を許可する。
【００５２】
無線設定決定部２６は、利用場所１８にて利用が可能な無線通信の設定を決定するように構成されている。無線設定決定部２６は、例えば、利用場所１８を予約したユーザに応じた無線通信の設定を、当該利用場所１８にて利用が可能な無線通信の設定として決定する。また、無線設定決定部２６は、予約毎に無線通信の設定を変えてもよい。利用場所１８の予約時にユーザが無線通信の設定を指定した場合、無線設定決定部２６は、当該ユーザによって指定された無線通信の設定を、利用場所１８にて利用が可能な無線通信の設定として決定してもよい。なお、予め定められた設定が、無線通信の設定として用いられてもよい。
【００５３】
本実施形態では一例として、無線設定決定部２６は、アクセスポイント１４の無線通信の設定を決定する。無線通信の設定は、例えば、アクセスポイント１４の識別情報、及び、アクセスポイント１４を介した無線通信を利用するためのパスワードの中の少なくとも１つを含む。アクセスポイント１４の識別情報は、例えば、ＳＳＩＤ（Service Set Identifier）等である。
【００５４】
無線通信の設定は、更に、同一のアクセスポイント１４による無線通信を介した他の装置との通信の可否、及び、通信速度の中の少なくとも１つを含んでもよい。同一のアクセスポイント１４による無線通信を介した他の装置との通信を禁止する機能は、一般的に、ＳＳＩＤクライアント分離機能や、ＳＳＩＤ内分離機能や、プライバシーセパレータや、ネットワーク分離機能等と称されることがある。ＳＳＩＤクライアント分離機能は、同一のＳＳＩＤを有するアクセスポイント１４に接続している装置同士の通信を禁止する機能である。
【００５５】
無線設定決定部２６によって決定された無線通信の設定を示す無線設定情報は、予約管理装置１０から情報処理装置１２と、利用場所１８を予約したユーザが利用する端末装置１６とに送信される。
【００５６】
制御部２８は、予約管理装置１０の各部の動作を制御するように構成されている。
【００５７】
以下、図３を参照して、情報処理装置１２の構成について詳しく説明する。図３には、情報処理装置１２の構成の一例が示されている。
【００５８】
通信部３０は通信インターフェースであり、他の装置に情報を送信する機能、及び、他の装置から情報を受信する機能を有する。通信部３０は、無線通信機能を有していてもよいし、有線通信機能を有していてもよい。通信部３０は、無線通信又は有線通信を利用して通信経路Ｎに接続し、通信経路Ｎを介して他の装置と通信してもよいし、近距離無線通信等を利用することで通信経路Ｎを介さずに他の装置と通信してもよい。通信部３０は、有線通信経路又は無線通信経路を介してアクセスポイント１４と通信する。通信部３０は、アクセスポイント１４を介して、当該アクセスポイント１４を利用している他の装置と通信してもよい。つまり、通信部３０は、同一のアクセスポイント１４に接続している他の装置と通信してもよい。通信部３０は、アクセスポイント１４を介さずに他の装置と通信してもよい。また、通信部３０は、アクセスポイント１４を介して通信経路Ｎや他の通信経路に接続してもよいし、アクセスポイント１４を介さずに通信経路Ｎや他の通信経路に接続してもよい。
【００５９】
ＵＩ部３２はユーザインターフェースであり、表示部と操作部とを含む。表示部は、液晶ディスプレイ等の表示装置である。操作部は、キーボードや入力キーや操作パネル等の入力装置である。ＵＩ部３２は、表示部と操作部とを兼ね備えたタッチパネル等のＵＩ部であってもよい。なお、ＵＩ部３２は、情報処理装置１２に設けられていなくてもよい。
【００６０】
記憶部３４は、各種の情報を記憶する１又は複数の記憶領域である。各記憶領域は、例えば、情報処理装置１２に設けられている１又は複数の記憶装置（例えばハードディスクドライブやメモリ等の物理ドライブ）によって構成されている。
【００６１】
設定部３６は、利用場所１８にて利用が可能な無線通信の設定を行うように構成されている。設定部３６は、例えば、利用場所１８にて利用が可能な無線通信の設定を、当該利用場所１８を予約したユーザに応じて変更する。本実施形態では一例として、設定部３６は、アクセスポイント１４の無線通信の設定を行う。利用場所１８が予約されると、当該利用場所１８にて利用が可能なアクセスポイント１４の無線通信の設定を示す無線設定情報が、予約管理装置１０から情報処理装置１２に送信される。設定部３６は、当該無線設定情報に従って、アクセスポイント１４の無線通信の設定を行う。設定部３６は、変更手段の一例に相当する。
【００６２】
利用場所１８の利用が可能となる利用時間が予約されている場合、設定部３６は、当該利用時間の開始時間が経過した後、当該利用場所１８を予約したユーザに応じて無線通信の設定を変更してもよい。
【００６３】
利用時間の開始時間が経過した後、利用場所１８を予約したユーザが当該利用場所１８を利用するための操作を行った場合、設定部３６は、予約したユーザに応じて無線通信の設定を変更してもよい。例えば、利用場所１８であるブースが施錠されている場合において、利用時間の開始時間が経過した後に、ユーザによってブースが開錠された場合、設定部３６は、無線通信の設定を変更する。
【００６４】
無線通信の設定は、利用場所１８の利用が可能となる利用時間中、ユーザによって変更されてもよい。例えば、ＳＳＩＤや、パスワードや、ＳＳＩＤクライアント分離機能の設定や、通信速度等が変更されてもよい。
【００６５】
なお、無線通信の設定は、設定部３６によって決定されてもよい。例えば、利用場所１８が予約された場合、当該利用場所１８が予約されたことを示す情報が、予約管理装置１０から当該利用場所１８の情報処理装置１２に送信される。情報処理装置１２においては、設定部３６が、上記の無線設定決定部２６と同様に、アクセスポイント１４の無線通信の設定を決定する。その無線通信の設定を示す無線設定情報は、情報処理装置１２から予約管理装置１０に送信される。そして、当該無線設定情報は、予約管理装置１０から、利用場所１８を予約したユーザが利用する端末装置１６に送信される。
【００６６】
禁止部３８は、利用場所１８にてアクセスポイント１４による無線通信を利用する装置の移動が、予め定められた時間以上にわたって検知されない場合、当該装置による当該アクセスポイント１４を介した無線通信の利用を禁止するように構成されている。装置の移動は、例えば、アクセスポイント１４と当該装置との間で送受信される電波の強度に基づいて検知される。強度に変化があれば、装置が移動していると判断される。装置の移動の検知は、例えば、制御部４０によって行われる。例えば、無線通信機能を有するカメラが、アクセスポイント１４による無線通信を利用している場合において、当該カメラが、予め定められた時間以上にわたって検知されない場合、当該カメラは、盗撮用に設置されている可能性がある。禁止部３８が、当該カメラによる無線通信の利用を禁止することで、当該カメラによって撮影されたデータの転送を防止することができる。なお、禁止部３８は、情報処理装置１２に設けられていなくてもよい。
【００６７】
制御部４０は、情報処理装置１２の各部の動作を制御するように構成されている。
【００６８】
以下、図４を参照して、アクセスポイント１４の構成について詳しく説明する。図４には、アクセスポイント１４の構成の一例が示されている。
【００６９】
通信部４２は通信インターフェースであり、他の装置に情報を送信する機能、及び、他の装置から情報を受信する機能を有する。通信部４２は、無線通信機能を有する。通信部４２は、更に、有線通信機能を有していてもよい。通信部４２は、無線通信又は有線通信を利用して通信経路Ｎに接続し、通信経路Ｎを介して他の装置と通信する。通信部４２は、近距離無線通信等を利用することで通信経路Ｎを介さずに他の装置と通信してもよい。通信部４２は、Ｗｉ−Ｆｉ等を利用することで、アクセスポイント１４を利用する装置（例えば端末装置１６等）と無線通信し、当該装置を通信経路Ｎ等の通信経路に接続する。また、通信部４２は、有線通信経路又は無線通信経路を介して情報処理装置１２と通信する。
【００７０】
記憶部４４は、各種の情報を記憶する１又は複数の記憶領域である。各記憶領域は、例えば、アクセスポイント１４に設けられている１又は複数の記憶装置（例えばハードディスクドライブやメモリ等の物理ドライブ）によって構成されている。
【００７１】
記憶部４４には、無線設定情報が記憶されている。無線設定情報は、アクセスポイント１４の無線通信の設定に関する情報であり、少なくとも、アクセスポイント１４の識別情報（例えばＳＳＩＤ）と、アクセスポイント１４を介した無線通信を利用するためのパスワードとを含む。また、無線設定情報は、ＳＳＩＤクライアント分離機能の設定を示す情報や、アクセスポイント１４を利用した無線通信の通信速度の設定を示す情報等を含んでもよい。
【００７２】
制御部４６は、アクセスポイント１４の各部の動作を制御するように構成されている。
【００７３】
以下、図５を参照して、端末装置１６の構成について詳しく説明する。図５には、端末装置１６の構成の一例が示されている。
【００７４】
通信部４８は通信インターフェースであり、他の装置に情報を送信する機能、及び、他の装置から情報を受信する機能を有する。通信部４８は、無線通信機能を有していてもよいし、有線通信機能を有していてもよい。通信部４８は、無線通信又は有線通信を利用して通信経路Ｎに接続し、通信経路Ｎを介して他の装置と通信してもよいし、近距離無線通信等を利用することで通信経路Ｎを介さずに他の装置と通信してもよい。
【００７５】
ＵＩ部５０はユーザインターフェースであり、表示部と操作部とを含む。表示部は、液晶ディスプレイ等の表示装置である。操作部は、キーボードや入力キーや操作パネル等の入力装置である。ＵＩ部５０は、表示部と操作部とを兼ね備えたタッチパネル等のＵＩ部であってもよい。
【００７６】
記憶部５２は、各種の情報を記憶する１又は複数の記憶領域である。各記憶領域は、例えば、端末装置１６に設けられている１又は複数の記憶装置（例えばハードディスクドライブやメモリ等の物理ドライブ）によって構成されている。
【００７７】
制御部５４は、端末装置１６の各部の動作を制御するように構成されている。
【００７８】
以下、本実施形態に係る情報処理システムについて更に詳しく説明する。
【００７９】
図６を参照して、予約管理情報の一例について説明する。図６には、予約管理情報の一例である予約管理テーブルの一例が示されている。
【００８０】
予約管理テーブルにおいては、利用場所１８毎に、場所ＩＤと、装置ＩＤと、利用時間情報と、ユーザ情報と、無線設定情報と、利用情報とが対応付けられている。
【００８１】
場所ＩＤは、利用場所１８を識別するための利用場所識別情報の一例である。利用場所識別情報は、利用場所１８毎に予め定められて利用場所１８に予め対応付けられている。利用場所識別情報は、例えば、場所ＩＤや、利用場所１８の名称を示す情報等である。場所ＩＤに代えて、名称を示す情報が利用場所識別情報として用いられてもよい。
【００８２】
装置ＩＤは、利用場所１８のアクセスポイント１４を制御する情報処理装置１２を識別するための装置識別情報の一例である。装置識別情報は、情報処理装置１２毎に予め定められて情報処理装置１２に予め対応付けられている。装置識別情報は、例えば、装置ＩＤや、情報処理装置１２の名称を示す情報や、情報処理装置１２のアドレス情報（例えばＩＰアドレスやＭＡＣアドレス等）等である。装置ＩＤに代えて、名称を示す情報やアドレス情報が、装置識別情報として用いられてもよい。
【００８３】
利用時間情報は、利用場所１８の利用が可能となる利用時間を示す情報である。利用時間は、例えば、ユーザが利用場所１８の利用を予約するときに指定される。例えば、ユーザが利用場所１８を利用する日付と時間帯とが指定される。
【００８４】
ユーザ情報は、利用場所１８を予約したユーザに関する情報であって、例えば、利用場所１８を予約したユーザを識別するためのユーザ識別情報や、当該ユーザが利用する端末装置１６を識別するための端末識別情報等を含む。ユーザ識別情報は、例えば、ユーザＩＤや氏名や電子メールアドレスやアカウント等を示す情報である。端末識別情報は、例えば、端末装置１６のアドレス情報（例えばＩＰアドレスやＭＡＣアドレス等）やシリアル番号等である。ユーザ情報は、例えば、ユーザが利用場所１８の利用を予約するときに、その予約に利用した端末装置１６から予約管理装置１０に送信される。
【００８５】
無線設定情報は、利用場所１８にて利用されるアクセスポイント１４についての無線通信の設定に関する情報である。無線設定情報に含まれる全部又は一部の情報は、予約管理装置１０によって決定されてもよいし、利用場所１８を予約するユーザによって決定されてもよいし、予約される利用場所１８の情報処理装置１２によって決定されてもよい。
【００８６】
利用情報は、利用時間に利用場所１８を利用するために必要な情報である。利用情報は、例えば、パスワードやキー情報等を含む情報である。利用場所１８が予約されると、利用時間に当該利用場所１８を利用するために必要な利用情報が、予約管理部２４によって生成され、予約管理装置１０から、予約に利用された端末装置１６に送信される。予約管理部２４は、例えば、予約毎に異なる利用情報を生成する。当該端末装置１６を利用するユーザは、当該利用情報を用いることで利用場所１８を利用することができる。例えば、利用場所１８が施錠されている場合、利用情報は、利用場所１８を開錠するために用いられる。また、利用場所１８が正当に利用されていることを示すために、利用情報が用いられてもよい。例えば、利用場所１８が座席や乗り物等である場合、座席や乗り物等が正当に利用されていることを示すために、利用情報が用いられてもよい。なお、利用場所１８が開放されたスペース等である場合や、利用場所１８を利用するための作業等が不要な場合、利用情報は用いられなくてもよい。
【００８７】
予約管理テーブルについて具体例を挙げて説明する。場所ＩＤ「Ａ１」を有する利用場所１８には、装置ＩＤ「Ｂ１」を有する情報処理装置１２が設置されている。ユーザＣ１によって、場所ＩＤ「Ａ１」を有する利用場所１８が予約されている。その利用時間は、４月１日の１０：００〜１２：００である。このときに利用される無線通信の設定として、無線設定Ｄ１が設定されている。ユーザＣ１用の無線設定Ｄ１は、ユーザＣ１によって決定されてもよいし、予約管理装置１０や情報処理装置１２によって自動的に決定されてもよい。また、場所ＩＤ「Ａ１」を有する利用場所１８を利用するための情報として、利用情報Ｅ１が設定されている。
【００８８】
また、ユーザＣ２によって、場所ＩＤ「Ａ１」を有する利用場所１８が予約されている。その利用時間は、４月１日の１３：００〜１４：００である。このときに利用される無線通信の設定として、無線設定Ｄ２が設定されている。ユーザＣ２用の無線設定Ｄ２は、ユーザＣ２によって決定されてもよいし、予約管理装置１０や情報処理装置１２によって自動的に決定されてもよい。また、場所ＩＤ「Ａ１」を有する利用場所１８を利用するための情報として、利用情報Ｅ２が設定されている。
【００８９】
以下、図７を参照して、予約完了画面について説明する。図７には、その予約完了画面の一例が示されている。
【００９０】
予約完了画面５６は、例えば、利用場所１８の予約が完了したときに表示される画面である。別の例として、予約完了画面５６は、予約した利用時間よりも予め定められた時間前に表示されてもよい。
【００９１】
ユーザが端末装置１６を用いて利用場所１８を予約し、予約管理装置１０にてその予約が完了すると、予約完了画面５６のデータが予約管理装置１０から端末装置１６に送信され、予約完了画面５６が、端末装置１６のＵＩ部５０の表示部に表示される。
【００９２】
利用場所１８の予約は、例えば、Ｗｅｂブラウザを用いて行われてもよいし、予約を行うための専用のアプリケーションソフトウェアを用いて行われてもよいし、電子メールやチャット等を用いて行われてもよい。
【００９３】
予約完了画面５６には、予約した利用場所１８にて利用が可能な無線通信の設定を示す情報が表示されている。ここでは、無線通信としてＷｉ−Ｆｉが利用されるものとする。予約完了画面５６には、Ｗｉ−Ｆｉの設定情報が表示されている。例えば、アクセスポイント１４のＳＳＩＤとパスワードとが、当該設定情報として表示されている。ユーザが、自身の端末装置１６において、Ｗｉ−Ｆｉの設定画面にて当該ＳＳＩＤと当該パスワードとを入力すると、当該端末装置１６は、Ｗｉ−Ｆｉによって当該アクセスポイント１４と通信することができる、その結果、当該端末装置１６は、当該アクセスポイント１４を介して通信経路Ｎや他の通信経路に接続することができる。
【００９４】
予約完了画面５６には、例えば、利用開始ボタン５８が表示されている。利用開始ボタン５８は、利用場所１８にてＷｉ−Ｆｉを利用するときに操作される画像である。ユーザが利用開始ボタン５８を押すと、端末装置１６は、アクセスポイント１４と通信し、Ｗｉ−Ｆｉを利用することができる。
【００９５】
以下、図８を参照して、本実施形態に係る情報処理システムによる処理について詳しく説明する。図８は、当該処理の流れを示すシーケンス図である。以下では、利用場所１８として、個室であるブースが用いられるものとする。ブースは電子錠によって施錠可能なドアを有し、上記の利用情報を用いることで電子錠を開錠することができる。ブースは、建物等の屋内に設置されてもよいし、屋外に設置されてもよい。また、アクセスポイント１４によってＷｉ−Ｆｉを利用することができるものとする。また、ユーザＣ１がブースを予約するものとする。
【００９６】
まず、ユーザＣ１は、端末装置１６を用いて、利用場所１８であるブースの利用の予約を要求する（Ｓ０１）。
【００９７】
例えば、予約用アプリケーションソフトウェアが端末装置１６にインストールされている。ユーザが予約用アプリケーションソフトウェアを起動させると、予約用アプリケーションソフトウェアは、通信経路Ｎを介して予約管理装置１０と通信し、予約管理装置１０から送信された予約画面のデータを受信し、当該予約画面を、端末装置１６のＵＩ部５０の表示部に表示させる。予約画面には、例えば、ブースの一覧や利用時間の一覧等が表示される。ユーザは、予約画面上にて、ブースの一覧から予約対象のブースを選択し、利用時間の一覧から予約対象の利用時間を選択する。ここでは、場所ＩＤ「Ａ１」を有するブースＡ１が選択され、「４月１日の１０：００〜１２：００」が利用時間として選択されたものとする。ブースと利用時間とがユーザによって選択されると、予約用アプリケーションソフトウェアは、予約要求情報を予約管理装置１０に送信する。予約要求情報には、選択されたブースを示す情報と、選択された利用時間を示す情報と、ユーザＣ１のユーザ情報とが含まれる。なお、ユーザＣ１は、予約画面上にて、アクセスポイント１４のＷｉ−Ｆｉの設定（例えば、ＳＳＩＤ、パスワード、ＳＳＩＤクライアント分離機能の実行の有無、通信速度等）を指定してもよい。ユーザＣ１によってＷｉ−Ｆｉの設定が指定された場合、その設定を示す無線設定情報も予約要求情報に含まれて予約管理装置１０に送信される。ここでは、無線設定Ｄ１が、Ｗｉ−Ｆｉの設定として指定又は決定されたものとする。
【００９８】
予約管理装置１０の予約管理部２４は、端末装置１６から送信されてきた予約要求情報を受け、当該予約要求情報が示すブースと利用時間との予約を受け付ける（Ｓ０２）。
【００９９】
予約管理部２４は、その予約の内容を、図６に示されている予約管理テーブルに登録する。ここでは、ブースＡ１と「４月１日の１０：００〜１２：００」とがユーザＣ１によって選択されているため、これらの内容が予約管理テーブルに登録される。
【０１００】
また、ユーザＣ１によってＷｉ−Ｆｉの設定が指定されていない場合、予約管理部２４は、Ｗｉ−Ｆｉの設定を決定する。具体的には、予約管理部２４は、ブースＡ１にて利用が可能なアクセスポイント１４のＳＳＩＤ、パスワード、ＳＳＩＤクライアント分離機能の実行の有無、及び、通信速度等を決定する。予約管理部２４は、予め定められた設定をＷｉ−Ｆｉの設定として決定してもよいし、ランダムに決定された設定をＷｉ−Ｆｉの設定として決定してもよい。予約管理部２４は、予約毎に、Ｗｉ−Ｆｉの設定の一部又は全部を変更してもよい。つまり、予約管理部２４は、予約毎に異なる設定をＷｉ−Ｆｉの設定として決定してもよい。例えば、予約管理部２４は、予約毎にＳＳＩＤとパスワードとを変更することで、予約毎に異なるＳＳＩＤとパスワードとをＷｉ−Ｆｉの設定として決定してもよい。予約毎にＳＳＩＤとパスワードとを変更することで、アクセスポイント１４を利用する通信のセキュリティが向上する。なお、予約管理部２４は、ＳＳＩＤ又はパスワードのいずれか一方を変更してもよい。Ｗｉ−Ｆｉの一部の設定は、ユーザＣ１によって決定され、他の設定は、予約管理部２４によって決定されてもよい。例えば、ＳＳＩＤクライアント分離機能の実行の有無と通信速度は、ユーザＣ１によって決定され、ＳＳＩＤとパスワードは、予約管理部２４によって決定されてもよい。もちろん、ＳＳＩＤやパスワードがユーザＣ１によって決定され、ＳＳＩＤクライアント分離機能の実行の有無と通信速度が、予約管理部２４によって決定されてもよい。ここでは、無線設定Ｄ１が、Ｗｉ−Ｆｉの設定として指定又は決定されており、無線設定Ｄ１に関する無線設定情報が、予約管理テーブルに登録されている。
【０１０１】
予約が完了した場合、予約管理部２４は、予約情報を、ユーザＣ１が利用する端末装置１６に送信する（Ｓ０３）。
【０１０２】
予約情報は、例えば、Ｗｉ−Ｆｉの設定に関する無線設定情報、ブースＡ１のドアの電子錠を開錠するために用いられる利用情報、及び、利用時間を示す利用時間情報、等を含む。利用情報は、例えば、ドアの電子錠を開錠するためのキー情報等である。なお、予約管理部２４は、予約毎に利用情報を変更してもよい。この利用情報も、予約管理テーブルに登録される。ここでは、利用情報Ｅ１が、ブースＡ１を利用するための利用情報として登録されたものとする。
【０１０３】
端末装置１６においては、予約用アプリケーションソフトウェアが、予約管理部２４から送信されてきた予約情報を受け、当該予約情報の全部又は一部を、端末装置１６のＵＩ部５０の表示部に表示させる。例えば、図７に示されている予約完了画面５６が、ＵＩ部５０の表示部に表示される。
【０１０４】
なお、予約用アプリケーションソフトウェアが用いられずに、Ｗｅｂブラウザや電子メールを用いて、ブースの予約、及び、予約情報の送受信が行われてもよい。
【０１０５】
情報処理装置１２の制御部４０は、例えば、予め定められた時間間隔で、自装置である情報処理装置１２が制御するアクセスポイント１４の利用が可能な利用場所１８の予約の有無を、予約管理装置１０に問い合わせる（Ｓ０４）。その問い合わせを示す情報が、情報処理装置１２から予約管理装置１０に送信される。
【０１０６】
予約管理装置１０の予約管理部２４は、予約の問い合わせを示す情報を情報処理装置１２から受けると、予約管理テーブルを参照し、当該情報処理装置１２に対応付けられている利用場所１８の利用の予約の有無を確認する。
【０１０７】
当該利用場所の利用が予約されている場合、予約管理部２４は、その予約に対応する予約情報を、当該利用場所にて利用が可能なアクセスポイント１４を制御する情報処理装置１２に送信する（Ｓ０５）。予約情報は、情報処理装置１２の記憶部３４に記憶される。
【０１０８】
当該利用場所の利用が予約されていない場合、予約管理部２４は、当該利用場所が予約されていないことを示す情報を情報処理装置１２に送信する。
【０１０９】
具体例を挙げて説明すると、ブースＡ１に対応付けられている情報処理装置１２（以下、「情報処理装置１２Ｂ１」と称する）、つまり、ブースＡ１にて利用が可能なアクセスポイント１４を制御する情報処理装置１２Ｂ１の制御部４０は、ブースＡ１の予約の有無を、予約管理装置１０に問い合わせる。ブースＡ１は、ユーザＣ１によって予約されており、その利用時間は、４月１日の１０：００〜１２：００である。この場合、予約管理部２４は、その予約に対応するＷｉ−Ｆｉの設定に関する無線設定情報と、利用時間を示す利用時間情報とを含む予約情報を、情報処理装置１２Ｂ１に送信する。予約情報には、利用情報が含まれてもよい。予約情報は、情報処理装置１２Ｂ１の記憶部３４に記憶される。
【０１１０】
なお、予約管理部２４は、情報処理装置１２から問い合わせを受けなくても、利用場所１８の利用が予約管理装置１０にて予約された場合、予約された利用場所１８に対応付けられている情報処理装置１２に予約情報を送信してもよい。
【０１１１】
ブースＡ１の利用時間の開始時間が経過し（Ｓ０６）、ユーザＣ１が、ブースＡ１を利用するための操作を行うと（Ｓ０７）、予約管理装置１０において、ユーザＣ１によるブースＡ１の利用が許可されるか否かを確認するための認証処理が実行される（Ｓ０８）。
【０１１２】
例えば、ブースＡ１のドアが、電子錠によって施錠されている。ドアには、近距離無線通信を行う無線通信装置が設けられている。ユーザＣ１が端末装置１６をドアに近づけると、端末装置１６は、近距離無線通信を利用して、予約情報に含まれている利用情報を、当該無線通信装置に送信する。なお、予約情報は、ユーザがブースＡ１を予約したときに予約管理装置１０から端末装置１６に送信されて、端末装置１６の記憶部５２に記憶されている。端末装置１６から利用情報を受信した当該無線通信装置は、情報処理装置１２Ｂ１を介して、又は、情報処理装置１２Ｂ１を介さずに、当該利用情報と当該無線通信装置が設置されているブースＡ１の利用場所識別情報（例えばＩＤ「Ａ１」等）とを予約管理装置１０に送信する。予約管理部２４は、図６に示されている予約管理テーブルを参照し、送信されてきた利用場所識別情報が示すブースＡ１と、今現在の日時を含む利用時間とに、対応付けられている利用情報Ｅ１と、送信されてきた利用情報とが一致するか否かを確認する。
【０１１３】
送信されてきた利用情報が利用情報Ｅ１と同じ場合、予約管理部２４は、ユーザＣ１によるブースＡ１の利用を許可する。この場合、予約管理部２４は、情報処理装置１２を介して、又は、情報処理装置１２を介さずに、ブースＡ１のドアに設けられている無線通信装置に、開錠指示を示す情報を送信する。当該開錠指示に従って、電子錠が開錠される。電子錠が開錠されると、ユーザＣ１は、ドアを開けてブースＡ１内に入ることができる。また、予約管理部２４は、ブースＡ１の利用開始を示す情報を、情報処理装置１２Ｂ１に送信する（Ｓ０９）。
【０１１４】
送信されてきた利用情報が利用情報Ｅ１と異なる場合、予約管理部２４は、ユーザＣ１によるブースＡ１の利用を許可しない。この場合、予約管理部２４は、開錠指示を示す情報を送信しない。その結果、ブースＡ１のドアは開錠されない。
【０１１５】
例えば、今現在の日時が、４月１日の１０：００〜１２：００の間の時間であり、送信されてきた利用情報が利用情報Ｅ１と同じ場合、予約管理部２４は、ユーザＣ１によるブースＡ１の利用を許可する。今現在の日時が、４月１日の１０：００〜１２：００の間の時間であり、送信されてきた利用情報が利用情報Ｅ１と異なる場合、予約管理部２４は、ユーザＣ１によるブースＡ１の利用を許可しない。また、送信されてきた利用情報が利用情報Ｅ１と同じであっても、今現在の日時が、４月１日の１０：００〜１２：００以外の日時である場合、予約管理部２４は、ユーザＣ１によるブースＡ１の利用を許可しない。
【０１１６】
以下、ステップＳ１０以降の処理について説明する。
【０１１７】
ブースＡ１の利用開始を示す情報を受けた情報処理装置１２Ｂ１の設定部３６は、情報処理装置１２Ｂ１の記憶部３４に記憶されている予約情報に含まれている無線設定情報に従って、ブースＡ１にて利用が可能なアクセスポイント１４のＷｉ−Ｆｉの設定を変更する（Ｓ１０）。無線通信の設定として、無線設定Ｄ１が登録されているため、設定部３６は、当該アクセスポイント１４のＷｉ−Ｆｉの設定を無線設定Ｄ１に変更する。無線設定Ｄ１を示す無線設定情報は、当該アクセスポイント１４の記憶部４４に記憶される。
【０１１８】
次に、情報処理装置１２Ｂ１の制御部４０は、ブースＡ１にて利用が可能なアクセスポイント１４のＷｉ−Ｆｉを起動させる（Ｓ１１）。これにより、ユーザＣ１は、当該アクセスポイント１４によるＷｉ−Ｆｉを利用することができる。
【０１１９】
ユーザＣ１が、端末装置１６において、Ｗｉ−Ｆｉの設定画面にて、予約情報に含まれるＳＳＩＤとパスワードとを入力すると、当該端末装置１６は、ブースＡ１にて利用が可能なアクセスポイント１４に接続し、Ｗｉ−Ｆｉを利用することができる（Ｓ１２）。なお、端末装置１６において、ＳＳＩＤやパスワードは自動的に設定されてもよい。
【０１２０】
Ｗｉ−Ｆｉの設定は、利用期間中、ユーザＣ１によって変更されてもよい。例えば、ユーザＣ１が、予約用アプリケーションソフトウェアを利用して、Ｗｉ−Ｆｉの設定を変更すると、予約用アプリケーションソフトウェア、予約管理装置１０及び情報処理装置１２を介して、アクセスポイント１４のＷｉ−Ｆｉの設定が変更される。また、通信速度が変更されてもよい。有料オプションとして高速回線の利用が可能となってもよい。
【０１２１】
利用時間の終了時間（例えば１２：００）が経過すると（Ｓ１３）、情報処理装置１２の制御部４０は、利用時間が終了したことを示す情報を、ブースＡ１にてアクセスポイント１４を利用している端末装置１６に送信する（Ｓ１４）。利用時間が終了したことを示す情報が、端末装置１６のＵＩ部５０の表示部に表示されてもよい。
【０１２２】
また、情報処理装置１２Ｂ１の制御部４０は、ブースＡ１にて利用が可能なアクセスポイント１４によるＷｉ−Ｆｉを終了させる（Ｓ１５）。例えば、制御部４０は、Ｗｉ−Ｆｉを停止させる。その結果、ユーザＣ１が利用する端末装置１６は、当該アクセスポイント１４によるＷｉ−Ｆｉを利用することができなくなる。
【０１２３】
なお、制御部４０はＷｉ−Ｆｉを停止させず、設定部３６が、アクセスポイント１４のＷｉ−Ｆｉの設定を、無線設定Ｄ１以外の設定に変更してもよい。無線設定Ｄ１以外の設定は、例えば、ランダムに選択された値を有するＳＳＩＤやパスワード、又は、予め定められたＳＳＩＤやパスワード等である。この場合も、Ｗｉ−Ｆｉの設定が無線設定Ｄ１である端末装置１６は、当該アクセスポイント１４によるＷｉ−Ｆｉを利用することができなくなる。
【０１２４】
ユーザＣ１の利用時間の終了時間が経過し、ユーザがブースＡ１を退室すると、ドアの電子錠が施錠される。それ以降、電子錠が開錠されない限り、ユーザはブースＡ１内に入れない。
【０１２５】
４月１日の１３：００〜１４：００の間に、ユーザＣ２が利用情報Ｅ１を用いてブースＡ１の電子錠を開錠すると、アクセスポイント１４のＷｉ−Ｆｉの設定が、ユーザＣ２用の無線設定Ｄ２に変更される。ユーザＣ２が利用する端末装置１６には、無線設定Ｄ２に関する無線設定情報を含む予約情報が送信されており、ユーザＣ２は、端末装置１６のＷｉ−Ｆｉの設定を無線設定Ｄ２に変更することで、アクセスポイント１４のＷｉ−Ｆｉを利用することができる。
【０１２６】
利用場所１８を予約したユーザに応じて、当該利用場所１８にて利用が可能な無線通信の設定が変更されるので、当該無線通信の設定として固定の設定を利用する場合と比べて、当該無線通信を利用するときのセキュリティが向上する。
【０１２７】
（変形例）
以下、変形例について説明する。変形例では、利用場所１８を予約したユーザ以外の他のユーザも、当該利用場所１８にて利用が可能なアクセスポイント１４を利用することが許可される。例えば、他のユーザが利用する端末装置１６に、予約管理装置１０から、無線設定情報を含む予約情報にアクセスするためのアドレス情報や予約情報や無線設定情報が送信され、当該他のユーザは、当該無線設定情報が示す無線通信の設定を利用して、アクセスポイント１４を利用することができる。アドレス情報は、例えば、予約情報や無線設定情報が記載されたＷｅｂページの所在を示すＵＲＬ（Uniform Resource Locator）等である。
【０１２８】
他のユーザは、例えば、利用場所１８を予約したユーザが、当該利用場所１８を予約するときに予約管理装置１０に登録されたユーザである。また、利用場所１８を予約したユーザは、予約後、利用時間が終了するまでの間、他のユーザを登録したり、登録済みの他のユーザを登録から除外したりしてもよい。
【０１２９】
以下、変形例について詳しく説明する。
【０１３０】
図９を参照して、変形例に係る予約管理情報について説明する。図９には、変形例に係る予約管理情報の一例である予約管理テーブルの一例が示されている。
【０１３１】
変形例に係る予約管理テーブルにおいては、図６に示されている予約管理テーブルに登録されている情報に加えて、更に、他ユーザ情報が、利用場所１８毎に、場所ＩＤ等に対応付けられている。
【０１３２】
他ユーザ情報は、利用場所１８を予約したユーザ以外の他のユーザに関する情報であって、当該利用場所１８にて利用が可能なアクセスポイント１４を利用することを許可された他のユーザに関する情報である。例えば、他のユーザの電子メールアドレスやアカウント等の情報が、他ユーザ情報に含まれる。他ユーザ情報は、例えば、利用場所１８を予約したユーザによって登録される。
【０１３３】
図９に示す例では、ユーザＦ１，Ｆ２のそれぞれの他ユーザ情報が、場所ＩＤ「Ａ１」、利用時間「４月１日１０：００〜１２：００」、及び、ユーザＣ１に対応付けられている。つまり、ユーザＦ１，Ｆ２は、場所ＩＤ「Ａ１」を有する利用場所１８にて利用が可能なアクセスポイント１４を、４月１日の１０：００〜１２：００の間、利用することが許可されている。
【０１３４】
また、ユーザＦ３，Ｆ４のそれぞれの他ユーザ情報が、場所ＩＤ「Ａ１」、利用時間「４月１日１３：００〜１４：００」、及び、ユーザＣ２に対応付けられている。つまり、ユーザＦ３，Ｆ４は、場所ＩＤ「Ａ１」を有する利用場所１８にて利用が可能なアクセスポイント１４を、４月１日の１３：００〜１４：００の間、利用することが許可されている。
【０１３５】
例えば、ユーザＦ１の電子メールアドレスが、ユーザＦ１の他ユーザ情報として登録されており、予約情報にアクセスするためのアドレス情報が、予約管理装置１０からその電子メールアドレス宛に送信される。ユーザＦ１がＷｅｂブラウザを用いて当該アドレス情報にアクセスすると、当該アドレス情報を有するＷｅｂページがＷｅｂブラウザ上に表示される。当該Ｗｅｂページには、予約情報や無線設定情報が記載されており、ユーザＦ１は、当該予約情報や当該無線設定情報を参照することができる。ユーザＦ１は、当該無線設定情報が示す無線通信の設定を用いて、アクセスポイント１４を利用することができる。ユーザＦ２，Ｆ３，Ｆ４についても同様である。もちろん、予約情報や無線設定情報が、他のユーザの電子メールアドレス宛に送信されてもよい。
【０１３６】
図１０には、上記のＷｅｂページの一例が示されている。Ｗｅｂページ６０には、無線通信設定情報として、Ｗｉ−Ｆｉの設定情報（例えばＳＳＩＤやパスワード）が記載されている。他のユーザは、Ｗｅｂページ６０に記載されているＳＳＩＤやパスワードを用いることで、当該ＳＳＩＤと当該パスワードとが設定されているアクセスポイント１４を利用することができる。なお、Ｗｅｂページ６０には、利用が可能なアクセスポイント１４の所在を示す情報や、利用が可能な日時を示す情報や、利用場所１８を予約したユーザに関する情報等が記載されてもよい。
【０１３７】
以下、図１１を参照して、変形例に係る処理について詳しく説明する。図１１は、当該処理の流れを示すシーケンス図である。以下では、図８を参照して説明した処理と同様に、ユーザＣ１がブースＡ１を予約するものとする。また、アクセスポイント１４によってＷｉ−Ｆｉを利用することができるものとする。また、ユーザＣ１が利用する端末装置１６を「端末装置１６Ａ」と称することとし、ユーザＣ１以外の他のユーザが利用する端末装置１６を「端末装置１６Ｂ」と称することとする。
【０１３８】
ステップＳ２０，Ｓ２１，Ｓ２２の処理は、図８に示されているステップＳ０１，Ｓ０２，Ｓ０３の処理と同じである。ここでは、ブースＡ１の利用が予約され、その利用時間は、４月１日の１０：００〜１２：００であるものとする。
【０１３９】
ユーザＣ１は、更に、予約画面上にて、他のユーザの登録操作を行う（Ｓ２３）。例えば、ユーザＣ１は、予約画面上にて、他のユーザの電子メールアドレスを入力する。ここでは、ユーザＦ１，Ｆ２のそれぞれの電子メールアドレスが入力されたものとする。ユーザＦ１，Ｆ２のそれぞれの電子メールアドレスは、ユーザＣ１が利用する端末装置１６から予約管理装置１０に送信される。予約管理部２４は、ユーザＦ１，Ｆ２のそれぞれの電子メールアドレスを、ユーザＣ１によって登録された予約の内容（つまり、利用場所１８であるブースＡ１と、利用時間である「４月１日の１０：００〜１２：００」）に対応付けて予約管理テーブルに登録する。
【０１４０】
予約管理部２４は、予約情報が記載されたＷｅｂページを作成し（Ｓ２４）、当該ＷｅｂページのＵＲＬを示すアドレス情報を、登録された他のユーザの電子メールアドレス宛に送信する（Ｓ２５）。ここでは、ユーザＦ１、Ｆ２のそれぞれの電子メールアドレス宛に、当該アドレス情報が送信される。
【０１４１】
ステップＳ２６，Ｓ２７の処理は、図８に示されているステップＳ０４，Ｓ０５の処理と同じである。
【０１４２】
ユーザＦ１，Ｆ２は、自身の端末装置１６Ｂを利用して、上記のアドレス情報を有するＷｅｂページにアクセスし、当該Ｗｅｂページに記載されている予約情報（例えばＳＳＩＤやパスワード等）を閲覧する（Ｓ２８）。例えば、図１０に示されているＷｅｂページ６０が、端末装置１６ＢのＵＩ部５０の表示部に表示され、ユーザＦ１，Ｆ２は、当該Ｗｅｂページに記載されているＳＳＩＤとパスワードとを認識することができる。なお、この閲覧は、ユーザＦ１，Ｆ２のそれぞれの電子メールアドレス宛にアドレス情報が送信された時点以降の任意の時点にて行われてもよい。
【０１４３】
ステップＳ２９〜Ｓ３５の処理は、図８に示されているステップＳ０６〜Ｓ１２の処理と同じである。
【０１４４】
ユーザＦ１，Ｆ２のそれぞれは、自身の端末装置１６Ｂにおいて、Ｗｉ−Ｆｉの設定画面にて、Ｗｅｂページに記載されているＳＳＩＤとパスワードとを入力すると、当該端末装置１６Ｂは、ブースＡ１にて利用が可能なアクセスポイント１４に接続し、Ｗｉ−Ｆｉを利用することができる（Ｓ３６）。
【０１４５】
ステップＳ３７，Ｓ３８の処理は、図８に示されているステップＳ１３，Ｓ１４の処理と同じである。
【０１４６】
利用時間の終了時間（例えば１２：００）が経過すると（Ｓ３７）、予約管理装置１０の予約管理部２４は、予約情報が記載されているＷｅｂページから当該予約情報を削除する（Ｓ３９）。こうすることで、他のユーザ（例えばユーザＦ１，Ｆ２）は、当該Ｗｅｂページにアクセスしても、過去に記載されていた予約情報を閲覧することができない。予約管理部２４は、当該Ｗｅｂページ自体を削除してもよい。こうすることで、他のユーザは、当該Ｗｅｂページにアクセスすることができず、予約情報を閲覧することができない。
【０１４７】
ステップＳ４０の処理は、図８に示されているステップＳ１５の処理と同じである。
【０１４８】
上記の実施形態及び変形例において、設定部３６は、利用場所１８にて利用が可能な無線通信の機能を、当該利用場所１８を予約したユーザが利用することが可能な機能に近づけてもよい。無線通信の機能は、例えば、通信速度や通信の規格等である。例えば、ユーザの通信契約等によって、ユーザが第５世代移動通信システム（つまり５Ｇ）を利用することが可能である場合において、利用場所１８にて利用が可能な無線通信が、第４世代移動通信システム（つまり４Ｇ）まで対応し、５Ｇに対応していない場合、設定部３６は、無線通信の機能を４Ｇに設定する。つまり、設定部３６は、ユーザが利用することが可能な無線通信の機能を上限として、利用場所１８にて利用が可能な無線通信の機能をその上限に設定する。ユーザが４Ｇを利用することが可能であり、５Ｇを利用することができない場合において、利用場所１８にて利用が可能な無線通信の機能が、４Ｇ及び５Ｇに対応している場合、設定部３６は、無線通信の機能を４Ｇに設定する。
【０１４９】
ブース以外の利用場所１８においても、上記の実施形態及び変形例と同様に、当該利用場所１８を予約したユーザに応じて無線通信の設定が変更される。例えば、ホテルの部屋を予約した宿泊者が、当該部屋のキーを開錠したときに、当該部屋にて利用が可能な無線通信の設定が、当該宿泊者用の設定に変更される。他の利用場所１８においても同様である。
【０１５０】
ユーザ毎に、固定の設定が無線通信の設定として用いられてもよい。例えば、ユーザ毎に、固定のＳＳＩＤとパスワードとが、予約管理装置１０に登録されており、利用場所１８の情報処理装置１２には、予約をしたユーザに固定のＳＳＩＤとパスワードとを含む予約情報が送信される。ユーザは、予約日時や利用場所１８が変わっても、当該ユーザ自身の同じＳＳＩＤとパスワードとを用いて、当該利用場所１８にて無線通信を利用することができる。なお、ＳＳＩＤとパスワードは、当該ＳＳＩＤと当該パスワードとを利用するユーザ自身によって決定されてもよいし、予約管理装置１０によって自動的に決定されてもよい。
【０１５１】
情報処理装置１２の設定部３６は、利用場所１８に設置されている装置の通信設定も、当該利用場所１８を予約したユーザ用の設定に変更してもよい。例えば、設定部３６は、無線通信機能を有する装置（例えば空調機や照明やプリンタ等）の通信設定を、当該装置が設置されている利用場所１８を予約したユーザ用の設定に変更してもよい。
【０１５２】
設定部３６は、無線通信の設定以外にも、利用場所１８の環境を、当該利用場所１８を予約したユーザに応じて変更してもよい。例えば、設定部３６は、利用場所１８に設置されている空調機の設定（例えば温度や風量等）や、利用場所１８に設置されている照明の設定（例えば明るさや色等）や、利用場所１８内の香り等を、当該利用場所１８を予約したユーザに応じて変更してもよい。
【０１５３】
上記の予約管理装置１０、情報処理装置１２及び端末装置１６の各部の機能は、一例としてハードウェアとソフトウェアとの協働により実現される。具体的には、予約管理装置１０、情報処理装置１２及び端末装置１６は、図示しないＣＰＵ等の１又は複数のプロセッサを有している。当該１又は複数のプロセッサが、図示しない記憶装置に記憶されたプログラムを読み出して実行することで、予約管理装置１０、情報処理装置１２及び端末装置１６の各部の機能が実現される。上記プログラムは、ＣＤ又はＤＶＤ等の記録媒体を経由して、又は、ネットワーク等の通信経路を経由して、記憶装置に記憶される。別の例として、予約管理装置１０、情報処理装置１２及び端末装置１６の各部の機能は、例えばプロセッサ、電子回路又はＡＳＩＣ（Application Specific Integrated Circuit）等のハードウェア資源により実現されてもよい。その実現においてメモリ等のデバイスが利用されてもよい。更に別の例として、予約管理装置１０、情報処理装置１２及び端末装置１６の各部の機能は、ＤＳＰ（Digital Signal Processor）又はＦＰＧＡ（Field Programmable Gate Array）等によって実現されてもよい。
【符号の説明】
【０１５４】
１０  予約管理装置、１２  情報処理装置、１４  アクセスポイント、１６  端末装置、１８  利用場所。
【図１】
2020188353.tif 000003
【図２】
2020188353.tif 000004
【図３】
2020188353.tif 000005
【図４】
2020188353.tif 000006
【図５】
2020188353.tif 000007
【図６】
2020188353.tif 000008
【図７】
2020188353.tif 000009
【図８】
2020188353.tif 000010
【図９】
2020188353.tif 000011
【図１０】
2020188353.tif 000012
【図１１】
2020188353.tif 000013